(57)【特許請求の範囲】
【請求項１】
データカードを端末に接続してメモリカードを前記データカードに挿入した後、前記データカードの初期化を行う時に前記メモリカードの使用状態を確定することと、
前記メモリカードの使用状態を修正する時、二回で取得した修正パスワードが一致する時に前記データカード中の配置情報を修正することと、
修正後の配置情報に基づいて前記メモリカードの使用状態を再び確定し、再び確定された使用状態に基づいて前記メモリカードに対応する操作を実行することと、を含むデータカードの応用方法。
【請求項２】
前記データカードを端末に接続してメモリカードを前記データカードに挿入した後、前記データカードの初期化を行う時に前記メモリカードの使用状態を確定することが、
前記データカードの初期化を行う時に前記データカード中の配置情報を読み取ることで前記メモリカードの使用状態を確定することを含み、前記使用状態は作動状態と使用禁止状態とを含む請求項１に記載の応用方法。
【請求項３】
前記メモリカードの現在の作動状態を使用禁止状態に修正する時、前記二回で取得した修正パスワードが一致する時に前記データカード中の配置情報を修正することが、
前記メモリカードの使用禁止が一回目である時、前後に入力した第１の修正パスワード及び第２の修正パスワードを取得することと、
前記第２の修正パスワードと前記第１の修正パスワードが一致する時、前記データカード中の配置情報を修正することと、
前記メモリカードの使用禁止が一回目ではない時、入力された第１の修正パスワード及び前記データカード中の予め記憶された修正パスワードを取得することと、
前記予め記憶された修正パスワードと前記第１の修正パスワードが一致する時、前記データカード中の配置情報を修正することと、を含む請求項２に記載の応用方法。
【請求項４】
前記メモリカードの現在の使用禁止状態を作動状態に修正する時、前記二回で取得した修正パスワードが一致する時に前記データカード中の配置情報を修正することが、
入力された第１の修正パスワード及び前記データカード中の予め記憶された修正パスワードを取得することと、
前記第１の修正パスワードと前記予め記憶された修正パスワードが一致する時、前記データカード中の配置情報を修正することと、を含む請求項２に記載の応用方法。
【請求項５】
前記データカードに予め記憶された修正パスワードが記憶されている時、該予め記憶された修正パスワードを変更して記憶する請求項１に記載の応用方法。
【請求項６】
データカードを端末に接続してメモリカードを前記データカードに挿入した後、前記データカードの初期化を行う時に前記メモリカードの使用状態を確定するように構成される確定手段と、
前記メモリカードの使用状態を修正する時、二回で取得した修正パスワードが一致する時に前記データカード中の配置情報を修正するように構成される修正手段と、
修正後の配置情報に基づいて前記メモリカードの使用状態を再び確定し、再び確定された使用状態に基づいて前記メモリカードに対応する操作を実行するように構成される操作手段と、を含むデータカード。
【請求項７】
前記確定手段が、前記データカードの初期化を行う時に前記データカード中の配置情報を読み取ることで前記メモリカードの使用状態を確定するように構成され、前記使用状態は作動状態と使用禁止状態とを含む請求項６に記載のデータカード。
【請求項８】
前記メモリカードの現在の作動状態を使用禁止状態に修正する時、前記修正手段が、
前記メモリカードの使用禁止が一回目である時、前後に入力した第１の修正パスワード及び第２の修正パスワードを取得するように構成される第１の取得ユニットと、
前記第２の修正パスワードと前記第１の修正パスワードが一致する時、前記データカード中の配置情報を修正するように構成される第１の修正ユニットと、
前記メモリカードの使用禁止が一回目ではない時、入力された第１の修正パスワード及び前記データカード中の予め記憶された修正パスワードを取得するように構成される第２の取得ユニットと、
前記予め記憶された修正パスワードと前記第１の修正パスワードが一致する時、前記データカード中の配置情報を修正するように構成される第２の修正ユニットと、を含む請求項７に記載のデータカード。
【請求項９】
前記メモリカードの現在の使用禁止状態を作動状態に修正する時、前記修正手段が、
入力された第１の修正パスワード及び前記データカード中の予め記憶された修正パスワードを取得するように構成される第３の取得ユニットと、
前記第１の修正パスワードと前記予め記憶された修正パスワードが一致する時、前記データカード中の配置情報を修正するように構成される第３の修正ユニットと、を含む請求項７に記載のデータカード。
【請求項１０】
前記データカードに予め記憶された修正パスワードが記憶されている時、該予め記憶された修正パスワードを変更して記憶するように構成されるパスワード変更手段を更に含む請求項６に記載のデータカード。
【発明の詳細な説明】
【技術分野】
【０００１】
本発明は、通信技術分野に関し、特に、データカードの応用方法及びデータカードに関する。
【背景技術】
【０００２】
通信技術の発展に伴って、ネットワーク端末同士の通信方式もますます多様化されている。データカード（無線モデムとも呼ばれる）は、高速の移動データネットワークにおける常用の新規相互接続デバイスで、ネットワークデバイスの無線でのネットワーク接続にも用いられる。データカードは、体積が小さく、伝送速度が速く、便利で柔軟性のあるメリットを有するので、人々の注目を集めている。
【０００３】
ＳＤカードは半導体フラッシュメモリに基づく記憶デバイスで、大容量、高速、低エネルギー消費等の特徴を有し、携帯電話、デジタルカメラ等の電子製品に汎用されている。現在、多くの電子デバイスはＳＤカード拡張インターフェースを提供していて、ＳＤカードを使用する時、通常、それをカードリーダー又はデータカードに挿入してから、カードリーダー又はデータカードをネットワーク端末に接続し、これでネットワーク端末がＳＤカード中のファイルを使用することができる。
【０００４】
しかし、既存のデータカードは更なる制限又は対応する保護措置がないので、一部の企業職員が内部で提供したデータカードやＳＤカードを使用する場合、ネットワーク端末から簡単に情報をコピーすることができ、企業情報を漏洩し、企業にある程度の損失をもたらすことになる。
【０００５】
上記内容は本発明の技術案の理解を補助するものであって、上記内容が既存技術であることを認めることではない。
【発明の概要】
【発明が解決しようとする課題】
【０００６】
本発明の実施例は、該データカードを使用するメモリカードが一定の制限を受けて、企業内部の情報の安全性を向上させることのできるデータカードの応用方法及びデータカードを提供することを主な目的とする。
【課題を解決するための手段】
【０００７】
上記目的を実現するため、本発明の実施例は、
データカードを端末に接続してメモリカードを前記データカードに挿入した後、前記データカードの初期化を行う時に前記メモリカードの使用状態を確定することと、
前記メモリカードの使用状態を修正する時、二回で取得した修正パスワードが一致する時に前記データカード中の配置情報を修正することと、
修正後の配置情報に基づいて前記メモリカードの使用状態を再び確定し、再び確定された使用状態に基づいて前記メモリカードに対応する操作を実行することと、を含むデータカードの応用方法を提供する。
【０００８】
前記データカードを端末に接続してメモリカードを前記データカードに挿入した後、前記データカードの初期化を行う時に前記メモリカードの使用状態を確定することが、
前記データカードの初期化を行う時に前記データカード中の配置情報を読み取ることで前記メモリカードの使用状態を確定することを含み、前記使用状態は作動状態と使用禁止状態とを含むことが好ましい。
【０００９】
前記メモリカードの現在の作動状態を使用禁止状態に修正する時、前記二回で取得した修正パスワードが一致する時に前記データカード中の配置情報を修正することが、
前記メモリカードの使用禁止が一回目である時、前後に入力した第１の修正パスワード及び第２の修正パスワードを取得することと、
前記第２の修正パスワードと前記第１の修正パスワードが一致する時、前記データカード中の配置情報を修正することと、
前記メモリカードの使用禁止が一回目ではない時、入力された第１の修正パスワード及び前記データカード中の予め記憶された修正パスワードを取得することと、
前記予め記憶された修正パスワードと前記第１の修正パスワードが一致する時、前記データカード中の配置情報を修正することと、を含むことが好ましい。
【００１０】
前記メモリカードの現在の使用禁止状態を作動状態に修正する時、前記二回で取得した修正パスワードが一致する時に前記データカード中の配置情報を修正することが、
入力された第１の修正パスワード及び前記データカード中の予め記憶された修正パスワードを取得することと、
前記第１の修正パスワードと前記予め記憶された修正パスワードが一致する時、前記データカード中の配置情報を修正することと、を含むことが好ましい。
【００１１】
前記データカードに予め記憶された修正パスワードが記憶されている時、該予め記憶された修正パスワードを変更して記憶することが好ましい。
【００１２】
本発明の実施例によると更に、
データカードを端末に接続してメモリカードを前記データカードに挿入した後、前記データカードの初期化を行う時に前記メモリカードの使用状態を確定するように構成される確定手段と、
前記メモリカードの使用状態を修正する時、二回で取得した修正パスワードが一致する時に前記データカード中の配置情報を修正するように構成される修正手段と、
修正後の配置情報に基づいて前記メモリカードの使用状態を再び確定し、再び確定された使用状態に基づいて前記メモリカードに対応する操作を実行するように構成される操作手段と、を含むデータカードを提供する。
【００１３】
前記確定手段が、前記データカードの初期化を行う時に前記データカード中の配置情報を読み取ることで前記メモリカードの使用状態を確定するように構成され、前記使用状態は作動状態と使用禁止状態とを含むことが好ましい。
【００１４】
前記メモリカードの現在の作動状態を使用禁止状態に修正する時、前記修正手段が、
前記メモリカードの使用禁止が一回目である時、前後に入力した第１の修正パスワード及び第２の修正パスワードを取得するように構成される第１の取得ユニットと、
前記第２の修正パスワードと前記第１の修正パスワードが一致する時、前記データカード中の配置情報を修正するように構成される第１の修正ユニットと、
前記メモリカードの使用禁止が一回目ではない時、入力された第１の修正パスワード及び前記データカード中の予め記憶された修正パスワードを取得するように構成される第２の取得ユニットと、
前記予め記憶された修正パスワードと前記第１の修正パスワードが一致する時、前記データカード中の配置情報を修正するように構成される第２の修正ユニットと、を含むことが好ましい。
【００１５】
前記メモリカードの現在の使用禁止状態を作動状態に修正する時、前記修正手段が、
入力された第１の修正パスワード及び前記データカード中の予め記憶された修正パスワードを取得するように構成される第３の取得ユニットと、
前記第１の修正パスワードと前記予め記憶された修正パスワードが一致する時、前記データカード中の配置情報を修正するように構成される第３の修正ユニットと、を含むことが好ましい。
【００１６】
前記データカードに予め記憶された修正パスワードが記憶されている時、該予め記憶された修正パスワードを変更して記憶するように構成されるパスワード変更手段を更に含むことが好ましい。
【発明の効果】
【００１７】
本発明の実施例で提供するデータカードの応用方法及びデータカードによると、データカードの初期化を行う時、データカード中の配置情報を読み取ることでメモリカードの使用状態を作動状態であるかそれとも使用禁止状態であるかをまず確定し、メモリカードの使用状態を修正する必要がある時、修正パスワードを二回取得し、且つ二回で取得した修正パスワードが一致する時のみデータカードの配置情報を修正することができ、修正パスワードを二回取得することで、データカード中の配置情報が任意に修正されないように保証し、即ち、該データカードのメモリカードの使用が一定の制限を受けて、ネットワーク端末から簡単に情報をコピーすることができず、企業内部の情報の安全性を向上させる。
【図面の簡単な説明】
【００１８】
【図１】本発明のデータカードの応用方法の一実施例のプロセスを示す図である。
【図２】図１においてメモリカードの現在の作動状態を使用禁止状態に修正する時のステップ１０２の一実施例の細分化プロセスを示す図である。
【図３】図１においてメモリカードの現在の作動状態を使用禁止状態に修正する時のステップ１０２の他の一実施例の細分化プロセスを示す図である。
【図４】本発明のデータカードの一実施例の機能ブロックを示す図である。
【００１９】
図面を参照して、本発明の目的の実現、機能特徴及びメリットを詳しく説明する。
【発明を実施するための形態】
【００２０】
尚、以下で説明する具体的な実施例は本発明を解釈するためのものであって、本発明を限定するものではない。
【００２１】
本発明でデータカードの応用方法を提供し、図１を参照すると、一実施例において、当該方法は以下のステップを含む：
データカードを端末に接続してメモリカードを前記データカードに挿入した後、前記データカードの初期化を行う時に前記メモリカードの使用状態を確定する（ステップＳ１０１）。
【００２２】
ここで、データカードを端末に接続してメモリカードをデータカードに挿入した後、データカードの初期化を行う時にデータカード中の配置情報を読み取ることで、メモリカードの使用状態を確定する。配置情報はデータカードに記憶されていて、メモリカードの使用状態は作動状態と使用禁止状態とを含む。
【００２３】
具体的に、データカード中の配置情報がメモリカードが作動状態であることであると、データカードの初期化を行う時に、該メモリカードを端末の記憶デバイスとしてマウントすることで、端末とメモリカード都を接続する。データカード中の配置情報がメモリカードが使用禁止状態であることであると、データカードの初期化を行う時にメモリカードと端末との接続を禁止する。
【００２４】
該メモリカードがＳＤカードであることが好ましい。
【００２５】
前記メモリカードの使用状態を修正する時、二回で取得した修正パスワードが一致する時に前記データカード中の配置情報を修正する（ステップＳ１０２）。
【００２６】
ここで、メモリカードが作動状態又は使用禁止状態であると確定した後、更に、データカードに記憶された配置情報を修正することでメモリカードの使用状態を修正することができる。しかし、メモリカードがデータカードに挿入されていない時、データカード中の配置情報の修正を禁止する。
【００２７】
メモリカードの使用状態を修正する時、データカードのＣｏｎｎｅｃｔｉｏｎ  Ｍａｎａｇｅｒｔｏｎが前後で修正パスワードを取得し、二回で取得した修正パスワードが一致する時、配置情報を修正することで、配置情報が任意に修正されないように保証することができる。
【００２８】
ここで、その中の１つの修正パスワードは端末ユーザが入力した修正パスワードであって、他の１つの修正パスワードは端末ユーザが入力した修正パスワード又はデータカード中の予め記憶された修正パスワードであることができる。修正パスワードの形式は限定せず、例えば暗号の形式又は問題の形式等のさまざまな形式であることができる。
【００２９】
ここで、二回で取得した修正パスワードが一致する時に配置情報を修正し、配置情報の修正はデータカードのＣｏｎｎｅｃｔｉｏｎ  Ｍａｎａｇｅｒｔｏｎが拡張したＡＴ命令によって行うことができる。
【００３０】
修正後の配置情報に基づいて前記メモリカードの使用状態を再び確定し、再び確定された使用状態に基づいて前記メモリカードに対応する操作を実行する（ステップＳ１０３）。
【００３１】
配置情報中の作動状態を使用禁止状態に修正した後、メモリカードの現在の使用状態が使用禁止状態であることを再び確定し、又は、配置情報中の使用禁止状態を作動状態に修正した時、メモリカードの現在の使用状態が作動状態であることを再び確定する。
【００３２】
本実施例において、メモリカードが作動状態であると、該メモリカードを端末の記憶デバイスとしてマウントして、端末とメモリカードとを接続し、メモリカードが使用禁止状態であると、メモリカードを除去する。
【００３３】
本実施例において、データカードの初期化を行う時に、データカード中の配置情報を読み取ることでメモリカードの使用状態が作動状態であるかそれとも使用禁止状態であるかをまず確定し、メモリカードの使用状態を修正する必要がある時、修正パスワードを二回取得し、二回で取得した修正パスワードが一致する時にデータカードの配置情報を修正することができ、修正パスワードを二回取得することによって、データカード中の配置情報が任意に修正されないように保証し、即ち、該データカードのメモリカードの使用が一定の制限を受けて、ネットワーク端末から簡単に情報をコピーすることができず、企業内部の情報の安全性を向上させる。
【００３４】
好適な一実施例において、図１に示す実施例に基づいて、本発明は、前記データカードに予め記憶された修正パスワードが記憶されている時、該予め記憶された修正パスワードを変更して記憶することを更に含む。
【００３５】
データカードの使用安全を一層保証するため、本実施例において、データカードに予め記憶された修正パスワードが記憶されている時、ユーザは該予め記憶された修正パスワードを変更することもできる。
【００３６】
ここで、予め記憶された修正パスワードを変更する方法は、まず１つのパスワードを入力し、データカードにより該入力されたパスワードが予め記憶された修正パスワードと一致すると判断された時、新しいパスワードを入力し、また、確認パスワードとして新しいパスワードを再び入力し、これで、次回に使用する予め記憶された修正パスワードとして、データカードに新しいパスワードが記憶される。
【００３７】
好適な一実施例において、図２に示すように、メモリカードの現在の作動状態を使用禁止状態に修正する時、上記ステップＳ１０２は、
入力された第１の修正パスワードを取得し（ステップＳ２０１）、
前記データカードが初めてメモリカードの使用を禁止するか否かを判断し、そうであると、ステップＳ２０３に移行し、そうではないと、ステップＳ２０5に移行し（ステップＳ２０２）、
入力された第２の修正パスワードを取得し（ステップＳ２０３）、
第２の修正パスワードが第１の修正パスワードと一致するか否かを判断し、一致すると、ステップＳ２０７に移行し、一致しないと、ステップＳ２０８に移行し（ステップＳ２０４）、
データカード中の予め記憶された修正パスワードを取得し（ステップＳ２０５）、
予め記憶された修正パスワードが第１の修正パスワードと一致するか否かを判断し、一致すると、ステップＳ２０７に移行し、一致しないと、ステップＳ２０８に移行し（ステップＳ２０６）、
データカード中の配置情報を修正してプロセスを終了し（ステップＳ２０７）、
データカード中の配置情報を不変に保持し、プロセスを終了する（ステップＳ２０８）ステップを含む。
【００３８】
本実施例において、データカードはメモリカードの作動を認めていて、初めてメモリカードの使用を禁止する時、ユーザが第１の修正パスワードを入力し、第２の修正パスワードを確認パスワードとし、該修正パスワードをデータカードに記録する。
【００３９】
ここで、第１の修正パスワードと第２の修正パスワードはユーザが入力したパスワードであって、予め記憶された修正パスワードはデータカードに記憶されているパスワードである。予め記憶された修正パスワードは実際上、前回のユーザが入力した修正パスワードであって、データカードはユーザが修正パスワードを入力する度に、該修正パスワードを記録して記憶する。データカードに予め記憶された修正パスワードが記憶されていないと、即ち、データカードが初めてメモリカードの使用を禁止する時、ユーザが同一な修正パスワードを二回入力し、データカードが該修正パスワードを次回の使用のために記憶しなければならない。
【００４０】
好適な他の実施例において、図３に示すように、メモリカードの現在の使用禁止状態を作動状態に修正する時、上記ステップＳ１０２は、
入力された第１の修正パスワード及び前記データカード中の予め記憶された修正パスワードを取得し（ステップＳ３０１）、
第１の修正パスワードが予め記憶された修正パスワードと一致するか否かを判断し、一致すると、ステップＳ３０３に移行し、一致しないと、ステップＳ３０４に移行し（ステップＳ３０２）、
データカード中の配置情報を修正し（ステップＳ３０３）、
データカード中の配置情報を不変に保持する（ステップＳ３０４）ステップを含む。
【００４１】
本発明でデータカードを提供し、図４を参照すると、一実施例において、データカードは、確定手段１０１と、修正手段１０２と、操作手段１０３とを含む。
【００４２】
確定手段１０１は、データカードを端末に接続してメモリカードを前記データカードに挿入した後、前記データカードの初期化を行う時に前記メモリカードの使用状態を確定するように構成される。
【００４３】
ここで、データカードを端末に接続してメモリカードをデータカードに挿入した後、確定手段１０１は、データカードの初期化を行う時にデータカード中の配置情報を読み取ることで、メモリカードの使用状態を確定する。配置情報はデータカードに記憶されていて、メモリカードの使用状態は作動状態と使用禁止状態とを含む。
【００４４】
具体的に、データカード中の配置情報がメモリカードが作動状態であることであると、データカードの初期化を行う時に該メモリカードを端末の記憶デバイスとしてマウントして、端末とメモリカードとを接続し、データカード中の配置情報がメモリカードが使用禁止状態であることであると、データカードの初期化を行う時にメモリカードと端末の接続を禁止する。
【００４５】
該メモリカードがＳＤカードであることが好ましい。
【００４６】
修正手段１０２は、前記メモリカードの使用状態を修正する時、二回で取得した修正パスワードが一致する時に前記データカード中の配置情報を修正するように構成される。
【００４７】
ここで、メモリカードが作動状態又は使用禁止状態であると確定した後、修正手段１０２は、データカードに記憶された配置情報を修正することでメモリカードの使用状態を修正することができる。しかし、メモリカードがデータカードに挿入されていない時、データカード中の配置情報の修正を禁止する。
【００４８】
メモリカードの使用状態を修正する時、データカードのＣｏｎｎｅｃｔｉｏｎ  Ｍａｎａｇｅｒｔｏｎが前後で修正パスワードを取得し、二回で取得した修正パスワードが一致する時、配置情報の修正を行うことで、配置情報が任意に修正されないように保証することができる。
【００４９】
ここで、その中の１つの修正パスワードは端末ユーザが入力した修正パスワードであって、他の１つの修正パスワードは端末ユーザが入力した修正パスワード又はデータカード中の予め記憶された修正パスワードであることができる。修正パスワードの形式は限定せず、例えば暗号の形式又は問題の形式等のさまざまな形式であることができる。
【００５０】
ここで、二回で取得した修正パスワードが一致する時に配置情報を修正することができ、配置情報の修正はデータカードのＣｏｎｎｅｃｔｉｏｎ  Ｍａｎａｇｅｒｔｏｎが拡張のＡＴ命令によって行うことができる。
【００５１】
操作手段１０３は、修正後の配置情報に基づいて前記メモリカードの使用状態を再び確定し、再び確定された使用状態に基づいて前記メモリカードに対応する操作を実行するように構成される。
【００５２】
配置情報中の作動状態を使用禁止状態に修正した後、メモリカードの現在の使用状態が使用禁止状態であることを再び確定し、又は配置情報中の使用禁止状態を作動状態に修正した時、メモリカードの現在の使用状態が作動状態であることを再び確定する。
【００５３】
本実施例において、メモリカードが作動状態であると、該メモリカードを端末の記憶デバイスとしてマウントして、端末とメモリカードとを接続し、メモリカードが使用禁止状態であると、メモリカードを除去する。
【００５４】
好適な一実施例において、図４に示す実施例に基づいて、本発明は、前記データカードに予め記憶された修正パスワードが記憶されている時、該予め記憶された修正パスワードを変更して記憶するように構成されるパスワード変更手段を更に含む。
【００５５】
データカードの使用安全を一層保証するため、本実施例において、データカードに予め記憶された修正パスワードが記憶されている時、ユーザは該予め記憶された修正パスワードを変更することもできる。
【００５６】
ここで、予め記憶された修正パスワードを変更する方法は、まず１つのパスワードを入力し、データカードにより該入力されたパスワードが予め記憶された修正パスワードと一致すると判断された時、新しいパスワードを入力し、また、確認パスワードとして新しいパスワードを再び入力し、これで、次回に使用する予め記憶された修正パスワードとして、データカードに新しいパスワードが記憶される。
【００５７】
好適な一実施例において、メモリカードの現在の作動状態を使用禁止状態に修正する時、修正手段１０２は、
前記メモリカードの使用禁止が一回目である時、前後に入力した第１の修正パスワード及び第２の修正パスワードを取得するように構成される第１の取得ユニットと、
前記第２の修正パスワードと前記第１の修正パスワードが一致する時、前記データカード中の配置情報を修正するように構成される第１の修正ユニットと、
前記メモリカードの使用禁止が一回目ではない時、入力された第１の修正パスワード及び前記データカード中の予め記憶された修正パスワードを取得するように構成される第２の取得ユニットと、
前記予め記憶された修正パスワードと前記第１の修正パスワードが一致する時、前記データカード中の配置情報を修正するように構成される第２の修正ユニットと、を含む。
【００５８】
本実施例において、データカードはメモリカードの作動を認めていて、初めてメモリカードの使用を禁止する時、ユーザが第１の修正パスワードを入力し、第２の修正パスワードを確認パスワードとし、該修正パスワードをデータカードに記録する。
【００５９】
ここで、第１の修正パスワードと第２の修正パスワードはユーザが入力したパスワードであって、予め記憶された修正パスワードはデータカードに記憶されているパスワードであることができる。予め記憶された修正パスワードは実際上、前回にユーザが入力した修正パスワードであって、データカードはユーザが修正パスワードを入力する度に、該修正パスワードを記録して記憶する。データカードに予め記憶された修正パスワードが記憶されていないと、即ち、データカードが初めてメモリカードの使用を禁止する時、ユーザが同一な修正パスワードを二回入力し、データカードが該修正パスワードを次回の使用のために記憶しなければならない。
【００６０】
好適な他の一実施例において、前記メモリカードの現在の使用禁止状態を作動状態に修正する時、修正手段１０２は、
入力された第１の修正パスワード及び前記データカード中の予め記憶された修正パスワードを取得するように構成される第３の取得ユニットと、
前記第１の修正パスワードと前記予め記憶された修正パスワードが一致する時、前記データカード中の配置情報を修正するように構成される第３の修正ユニットと、を含む。
【００６１】
上記本発明の実施例の番号は説明のために付けたものであって、実施例の優劣を示すものではない。以上の実施形態の説明によって、上記実施例の方法をソフトウェアに必要な汎用のハードウェアプラットフォームを結合する方式で実現することができ、そして、ハードウェアで実現することもできることを当業者は理解でき、多数の場合前の形態が一層好適な実施形態である。このような理解に基づいて、本発明の技術案の本質又は既存技術に対して貢献のある部分をソフトウェア製品の形式で体現することができ、該コンピューターソフトウェア製品を記憶媒体（例えば、ＲＯＭ／ＲＡＭ、磁気ディスク、光ディスク）に記憶し、幾つかの命令を含んで１つの端末デバイス（携帯電話、コンピューター、サーバー又はネットワークデバイス等であることができる）に本発明の各実施例に記載の方法を実行させることができる。
【００６２】
以上は、本発明の好適な実施例に過ぎず、本発明の保護範囲を限定するものではなく、本発明の明細書及び図面に対して行った等価構造又は等価プロセスの変換、関連する他の技術分野に直接又は間接的に利用したものはいずれも本発明の保護範囲に含まれる。
【産業上の利用可能性】
【００６３】
本発明で提供する上記技術案は、データカードの応用に適用され、データカードの初期化を行う時に、データカード中の配置情報を読み取ることで、初めてメモリカードの使用状態が作動状態であるかそれとも使用禁止状態であるかを確定し、メモリカードの使用状態を修正する必要がある時、修正パスワードを二回取得し、二回で取得した修正パスワードが一致する時にデータカードの配置情報を修正することができ、修正パスワードを二回取得することで、データカード中の配置情報が任意に修正されないように保証し、即ち、該データカードのメモリカードの使用が一定の制限を受けて、ネットワーク端末から簡単に情報をコピーすることができず、企業内部の情報の安全性を向上させる。
【図１】
0006313453.tif 000002
【図２】
0006313453.tif 000003
【図３】
0006313453.tif 000004
【図４】
0006313453.tif 000005